【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
流体供給源の流れの状態を制御し、前記流体供給源を、送出用チュービングを通過してユーザーに供給するための注入ポンプであって、
該注入ポンプは、
マイクロプロセッサと、
前記流体供給源を供給するために、前記送出用チュービングの第１の部分を圧迫する少なくとも１つのフィンガーを移動させるように構成された第１のアクチュエータと、
前記流体供給源の前記送出用チュービングの第１の部分への流動の状態を制御する注入ポンプのインレットバルブを選択的に作動させるように構成された第２のアクチュエータと、
を含み、
前記アウトレットバルブは、前記送出用チュービングの第１の部分の下流に設けられ、前記送出用チュービングは、前記インレットバルブとアウトレットバルブとの間に第２の部分を有し、前記アウトレットバルブは、前記第１のアクチュエータによって制御され
前記マイクロプロセッサを使用して、前記第１のアクチュエータに、少なくとも１つのフィンガーの移動及びインレットバルブから独立した前記アウトレットバルブの作動を制御させ、前記第２のアクチュエータに、前記少なくとも１つのフィンガーから独立したインレットバルブの作動を制御させることを特徴とする注入ポンプ。
【請求項２】
前記流体供給源はドリップチャンバに連結されており、前記インレットバルブは、前記ドリップチャンバと前記送出用チュービングの第１の部分との間に設けられ、前記送出用チュービングを通過する前記流体供給源からの流動状態を制御するために前記送出用チュービングを圧迫するように配置されることを特徴とする請求項１に記載の注入ポンプ。
【請求項３】
前記フィンガーは、前記送出用チュービングの第１の部分を圧迫することによってポンピングアクションを生成するように構成され配置されることを特徴とする、請求項１に記載の注入ポンプ。
【請求項４】
前記流体供給源は、前記ドリップチャンバに連結されており、前記第１のアクチュエータが、前記アウトレットバルブを閉鎖し前記少なくとも１つのフィンガーをそれぞれの固定位置に維持している間に、前記ドリップチャンバから前記送出用チュービングの第２の部分へ、所定量の前記流体供給源の流れを可能とするように、前記第２のアクチュエータが、前記インレットバルブを作動させることを特徴とする請求項１に記載の注入ポンプ。
【請求項５】
前記流体供給源は前記ドリップチャンバに連結されており、所定量の前記流体供給源が前記送出用チュービングの第２の部分へ流動した後、前記流体供給源の前記ドリップチャンバから前記送出用チュービングの第２の部分への流動が起こらないように、前記第２のアクチュエータが前記インレットバルブを作動させることを特徴とする請求項１に記載の注入ポンプ。
【請求項６】
前記第１のアクチュエータは、前記少なくとも１つのフィンガーを移動させて、前記アウトレットバルブを通過する所定量の前記流体供給源を第１の指定された期間内に送出し、終了時に、前記アウトレットバルブを閉鎖するように前記アウトレットバルブを操作することを特徴とする請求項１に記載の注入ポンプ。
【請求項７】
前記流体供給源の流率を測定するために構成されたフローセンサと、前記流率の閾値を格納するために構成されたメモリと、を更に含んでなり、前記インレットバルブが前記閾値に基づいて作動されることを特徴とする請求項１に記載の注入ポンプ。
【請求項８】
前記インレットバルブは、前記アウトレットバルブから独立して前記流体供給源の流率に基づいて作動され、前記アウトレットバルブは、前記インレットバルブから独立して前記流率に基づいて作動されることを特徴とする請求項７に記載の注入ポンプ。
【請求項９】
前記注入ポンプは、前記流体供給源の流率に基づいて、重力送りモードと能動ポンピングモードとのうちの少なくとも１つのモードで操作されることを特徴とする請求項１に記載の注入ポンプ。
【請求項１０】
前記ポンプのポンピング部は、アウトレットバルブを有し、少なくとも１つのフィンガーを有する前記ポンピング部は、一般的なリンク装置を使用して前記少なくとも１つのフィンガーと前記アウトレットバルブとを制御するために、インレットバルブとアウトレットバルブとの間に配置された送出用チュービングの第１の部分に作用するように設定されることを特徴とする請求項１に記載の注入ポンプ。
【請求項１１】
流体供給源の流動状態を制御し、送出用チュービングを通過してユーザーに供給するためのマイクロプロセッサにより実施される方法であって、
該方法は、
ユーザーに前記流体供給源を供給するために、第１のアクチュエータを使用して送出用チュービングの第１の部分を圧迫するために少なくとも１つのフィンガーを移動させるステップと、
第２のアクチュエータを使用して注入ポンプのインレットバルブを選択的に作動させ、前記送出用チュービングの第１の部分への前記流体供給源の流動状態を制御させるステップと、
アウトレットバルブを前記送出用チュービングの第１の部分の下流に設け、前記インレットバルブと前記アウトレットバルブの間に、送出用チュービングの第２の部分を具備させるステップと、
マイクロプロセッサを使用して、前記第１のアクチュエータを使用に、少なくとも１つのフィンガーの移動及び前記インレットバルブから独立した前記アウトレットバルブの作動を制御させるステップと、
前記マイクロプロセッサを使用して、前記第２のアクチュエータに、前記少なくとも１つのフィンガーと前記アウトレットバルブから独立した前記インレットレットバルブの作動を制御させるステップと、
を含んでなることを特徴とするマイクロプロセッサにより実施される方法。
【請求項１２】
前記インレットレットバルブを、前記流体供給源に連結されたドリップチャンバと、前記送出用チュービングの第１の部分と、の間に設け、前記送出用チュービングを通過する前記流体供給源の流動状態を制御するために前記送出用チュービングを圧迫する前記インレットレットバルブを配置するステップを更に含んでなることを特徴とする請求項１１に記載のマイクロプロセッサにより実施される方法。
【請求項１３】
前記マイクロプロセッサの制御の下で、前記送出用チュービングの第１の部分を部分的に圧迫することによってポンピングアクションを生成するようにフィンガーを作動させるステップと、前記送出用チュービングの第１の部分を周期的にブロックするように前記インレットバルブとアウトレットバルブとを作動させるステップと、を更に含んでなることを特徴とする請求項１１に記載のマイクロプロセッサにより実施される方法。
【請求項１４】
前記第１のアクチュエータが、前記アウトレットバルブを閉鎖し前記少なくとも１つのフィンガーをそれぞれの固定された位置に維持している間に、前記流体供給源に連結されたドリップチャンバから前記送出用チュービングの第２の部分への所定量の前記流体供給源の流れを可能とするために、前記第２のアクチュエータを使用して前記インレットバルブを作動させるステップを更に含んでなることを特徴とする請求項１１に記載のマイクロプロセッサにより実施される方法。
【請求項１５】
所定量の前記流体供給源が前記送出用チュービングの第２の部分へ流動した後、前記流体供給源に連結されたドリップチャンバから前記送出用チュービングの第２の部分への前記流体供給源の流動が起こらないように、前記第２のアクチュエータを使用して前記インレットバルブを作動させるステップを更に含んでなることを特徴とする請求項１１に記載のマイクロプロセッサにより実施される方法。
【請求項１６】
前記第１のアクチュエータを使用して、前記少なくとも１つのフィンガーを移動させて、第１の指定された期間内に前記アウトレットバルブを通過する所定量の前記流体供給源を送出し、終了時に前記アウトレットバルブを閉鎖するように前記アウトレットバルブを操作するステップを更に含んでなることを特徴とする請求項１１に記載のマイクロプロセッサにより実施される方法。
【請求項１７】
フローセンサを使用して前記流体供給源の流率を測定し、前記流率のフロー閾値をメモリに格納し、前記閾値に基づいて前記インレットバルブを作動させるステップを更に含んでなることを特徴とする請求項１１に記載のマイクロプロセッサにより実施される方法。
【請求項１８】
前記アウトレットバルブと独立に、流体供給源の流率に基づいて前記インレットバルブを作動し、前記インレットバルブと独立に、前記流率に基づいて前記アウトレットバルブを作動させるステップを更に含んでなることを特徴とする請求項１７に記載のマイクロプロセッサにより実施される方法。
【請求項１９】
流体供給源の流率に基づいて、前記注入ポンプを、重力送りモードと能動ポンピングモードとのうちの少なくとも１つのモードで作動させるステップを更に含んでなることを特徴とする請求項１１に記載のマイクロプロセッサにより実施される方法。
【請求項２０】
前記アウトレットバルブを有するポンピング部を備え、少なくとも１つのフィンガーを有する前記ポンピング部は、前記インレットバルブとアウトレットバルブの間に配置された前記送出用チュービングの第１の部分に作用するように構成されることを特徴とする、請求項１１に記載のマイクロプロセッサにより実施される方法。